(57)【要約】【課題】球詰まりが発生しにくく、球が円滑に払い出されるようにする。【解決手段】タンク２の底面４から庇８の方に向かう球の勢いが上り勾配部１４で減少し、上り勾配部１４で勢いを和らげられて庇８の上に乗った球が払出逃避部１５を収容部６の引込側部分に越えにくいため、庇８から払出逃避部１５で分けられて収容部６の押出側部分に向かう球の個数が庇８から払出逃避部１５で分けられて収容部６の引込側部分に向かう球の個数よりも多くなり、収容部６の押出側部分の取り込まれにくさを補い、収容部６の押出側部分に球が適切に取り込まれ、収容部６に球詰まりが発生しにくく、払出モータ１０の負担が軽減され、払出体９が球を円滑に払い出すことができるという利点がある。【選択図】図１
2008246009.tif 000002
【特許請求の範囲】
【請求項１】
タンクには球貯蔵室が設けられ、球貯蔵室の底部には球を球貯蔵室から収容部に落下させる球入口と球入口から下方に窪む空間を形成する収容部と球出口の上に位置して球入口を塞ぐ庇とが設けられ、球貯蔵室の球と接触する底面は球貯蔵室に取り込まれた球を球入口に向けて左から右または右から左に流下させる斜面を構成し、収容部の前部または後部には球出口が設けられ、払出体は直線状の丸棒により構成された払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら庇の下に潜り込ませて球出口の方に移動させる一方、庇の払出体の真上における部分は上方に突出するアーチ状であって後から前に行くにしたがって左右方向の距離が狭くなる半円錐形の払出逃避部として構成されたことを特徴とする遊技機の球払出装置。
【発明の詳細な説明】
【技術分野】
【０００１】
本発明は、球詰まりが発生しにくく、球が円滑に払い出される遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図６は、特許文献１で開示された球払出装置を示す。図６において、タンク２の底部には、球入口５および収容部６が設けられる。収容部６の底部には、球出口７が設けられる。収容部６には、螺旋構造体として構成された払出体９が収容される。タンク２の外面には、払出モータ１０が固定される。払出モータ１０の出力軸が払出体９に連結される。タンク２の球と接触する底面４は、球を矢印Ｘ１で示すように球入口５に向けて流下させる斜面を構成する。そして、払出体９が払出モータ１０によって一方向に回転されると、球が矢印Ｘ４で示すようにタンク２から球入口５と収容部６および球出口７を経由して払い出される。しかしながら、底面４が球を球入口５に向けて流下させる方向と払出体９が球を球出口７に向けて移動させる方向とが互いに逆の向きであることから、払出体９に負担がかかり過ぎ、球詰まりを発生しやすいという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、タンクには球貯蔵室が設けられ、球貯蔵室の底部には球を球貯蔵室から収容部に落下させる球入口と球入口から下方に窪む空間を形成する収容部と球出口の上に位置して球入口を塞ぐ庇とが設けられ、球貯蔵室の球と接触する底面は球貯蔵室に取り込まれた球を球入口に向けて左から右または右から左に流下させる斜面を構成し、収容部の前部または後部には球出口が設けられ、払出体は直線状の丸棒により構成された払出軸と払出軸の軸心と平行な方向に球を１個ずつ分離する間隔で払出軸の外周面から径方向外側に螺旋形状に突出した螺旋体とを備えた螺旋構造体として構成され、払出体が払出軸の軸心を前後方向に延びるように向けて収容部に回転可能に配置されたことによって、収容部の内部には収容部と払出軸と螺旋体とで囲まれて球を１個ずつ取り込む隙間が形成され、タンクの後部の外側には払出体に連結された払出モータが設けられ、払出モータが払出体を払出軸の軸心を中心とする円周の一方向に回転するように駆動することによって、払出体の螺旋体が球貯蔵室から上記隙間に取り込まれた球を１個ずつ分離しながら庇の下に潜り込ませて球出口の方に移動させる一方、庇の払出体の真上における部分は上方に突出するアーチ状であって後から前に行くにしたがって左右方向の距離が狭くなる半円錐形の払出逃避部として構成されたことを最も主要な特徴とする。
【発明の効果】
【０００５】
本発明に係る遊技機の球払出装置は、タンクの球を貯蔵する球貯蔵室の前後幅が払出機構の球入口に向けて絞られ、球貯蔵室の底面が球を球入口に向けて流下させる斜面を構成し、払出体が球を収容部の前部または後部の球出口に向けて移動するように構成されたことによって、払出体が球貯蔵室の球から受ける球圧の方向と球を移動する方向とが互いに交差する方向となり、払出モータの負担が軽減し、球詰まりが発生しなくなり、球が適切に払い出されるという利点がある。しかも、庇が上り勾配部を介してタンクの底面に繋がる構成であり、庇における払出体の真上における部分が庇から上方に突出した払出逃避部として構成されれば、底面から庇の方に向かう球の勢いが上り勾配部で減少し、上り勾配部で勢いを和らげられて庇の上に乗った球は払出逃避部の突出によって収容部の球を取り込みやすい引込側部分に向かいにくいため、庇から払出逃避部で分けられて収容部の押出側部分に向かう球の個数が庇から払出逃避部１５で分けられて収容部の引込側部分に向かう球の個数よりも多くなり、収容部の押出側部分の取り込まれにくさを補い、収容部の押出側部分に球が適切に取り込まれ、収容部に球詰まりが発生しにくく、払出モータの負担が軽減され、払出体が球を円滑に払い出すことができるという利点がある。
【発明を実施するための最良の形態】
【０００６】
図１乃至図４は、発明を実施するための最良の形態である。図１は、庇８の周りを示す。図２は、球払出装置１の平面を示す。図３は、球払出装置１を図２のＡ−Ａ線に沿い切断した断面を示す。図４は、パチンコ遊技機を示す。本明細書において、「前」、「後」、「左」、「右」、「上」、「下」の方向は、図４の状態に遊技機枠３１を置いて矢印Ｓで示す前側から見た場合に特定される方向である。
【０００７】
図２を参照し、遊技機の球払出装置１について説明する。球払出装置１は、タンク２に払出機構３を備える。そして、タンク２が遊技機枠３１に取り付けられ、払出機構３が停止した状態において、遊技機枠３１の設置された図外の遊技機設置構造体の補給機構から排出されたパチンコ球と呼ばれる球がタンク２に上方から貯蔵される。球がタンク２に貯蔵された状態において、払出機構３が駆動すると、球がタンク２から下方外部に払い出される。
【０００８】
タンク２の内部に構成された上方に開口した箱形の球貯蔵室は、前壁から後方への寸法である広い前後幅をＬ１とし、前壁から後方への寸法である狭い前後幅をＬ３とし、前壁から後方への寸法である中間の前後幅をＬ２とすると、Ｌ１＞Ｌ２＞Ｌ３に構成される。狭い前後幅Ｌ３の部分には、払出機構３が配置される。中間の前後幅Ｌ２の部分には、球切検出機構１６が配置される。タンク２の球と接触する底面４は、球を矢印Ｘ１で示す方向たる左から右に向けて流下させるというように、球を払出機構３の球入口５に向けて流下させる斜面を構成する。
【０００９】
よって、タンク２の球を貯蔵する球貯蔵室の前後幅が払出機構３の球入口５に向けて絞られ、タンク２の底面４が球を球入口５に向けて流下させる斜面を構成し、球切検出機構１６が球を球入口５に向けて斜めに誘導するので、タンク２の底面４を流下する球が多量に球入口５に集中することがなく、タンク２の底面４を流下する球の量が球入口５に向けて徐々に減少し、払出モータ１０への負担が軽減され、払出機構３での球詰まりも発生しにくく、払出体９が球を円滑に払い出すことができるという利点がある。
【００１０】
また、タンク２の球を貯蔵する球貯蔵室の前後幅が払出機構３の球入口５に向けて絞られ、タンク２の底面４が球を球入口５に向けて流下させる斜面を構成し、払出体９が球を収容部６の前部球出口７に向けて移動するので、払出体９がタンク２の球貯蔵室の球から受ける球圧の方向と球を移動する方向とが互いに交差する方向となり、払出モータ１０の負担が軽減し、球詰まりが発生しなくなり、球が適切に払い出されるという利点がある。
【００１１】
払出機構３は、タンク２の右端部に設けられ、球入口５、収容部６、球出口７、庇８、払出体９、払出モータ１０、筐体１１を備える。球入口５は、タンク２の底面４に上下方向への貫通孔として設けられる。収容部６は、球入口５の周縁部から下方への窪みとして、タンク２の底面４から下方に突出する。球出口７は、収容部６の前部における底部に上下方向への貫通孔として形成される。庇８は、球入口５における球出口７の真上と対応する部分を塞ぐように、タンク２の底部に設けられる。
【００１２】
払出体９は、収容部６に収容され、払出軸１２および螺旋体１３を備えた螺旋構造体である。払出軸１２は、前後方向に直線的に延びる丸棒により構成される。螺旋体１３は、払出軸１２の前後方向に延びる軸心と平行な方向に球を１個ずつ分離する間隔で、払出軸１２の外周面から径方向外側に螺旋形状に突出する。払出モータ１０は、筐体１１に収容される。筐体１１は、タンク２の後壁の外面に固定される。払出モータ１０の出力軸には、払出体９が連結される。
【００１３】
そして、払出機構３が停止した場合、タンク２に貯蔵された球は、タンク２から球入口５を経由して収容部６と払出体９との隙間に１個ずつ分離されて取り込まれる。その状態において、払出モータ１０が払出体９を払出軸１２の周方向の矢印Ｗで示す一方向に回転するように駆動するのに伴い、螺旋体１３が収容部６と払出体９との隙間に１個ずつ分離されて取り込まれた球を１個ずつ分離したまま図２に矢印Ｘ２で示すように後から前の方に移動する。前の方に移動した球は、払出体９の駆動に伴い、庇８の下に潜り込んで球出口７から下方に払い出される。
【００１４】
払出体９が矢印Ｗで示す方向に回転するように駆動された場合、収容部６の払出体９を境とする左部分は、払出体９が球を収容部６から上方に押し出す、押出側として構成され（以下、収容部６の押出側部分と称する）。収容部６の払出体９を境とする右部分は、払出体９が球を球入口５から下方に引き込む、引込側として構成される（以下、収容部６の引込側部分と称する）。つまり、収容部６の押出側部分では、球が矢印Ｗで示す方向に駆動された払出体９によってタンク２から収容部６に取り込まれにくい。収容部６の引込側部分では、球が矢印Ｗで示す方向に駆動された払出体９によってタンク２から収容部６に取り込まれやすい。
【００１５】
図１を参照し、庇８の構造について説明する。庇８の左縁部は、タンク２の底面４に繋がる上り勾配部１４として構成される。上り勾配部１４は、底面４を流下してきた球を上方に誘導する。つまり、底面４から庇８の右方に向かう球に対し、上り勾配部１４は上り勾配になっている。よって、底面４から庇８の方に向かう球の勢いが上り勾配部１４で減少する。庇８の払出体９の真上における部分は、払出逃避部１５として構成される。払出逃避部１５は、庇８から上方に突出するアーチ状であって、後から前に行くにしたがって左右方向の距離が狭くなる、半円錐形になっている。よって、底面４を流下してきた球は、上り勾配部１４で勢いを和らげられて庇８の上に乗っかる。庇８の上に乗った球は、庇８の上を球入口５に向けて流下する場合、払出逃避部１５によって収容部６の押出側部分と引込側部分とに向かうように分けられる。
【００１６】
しかしながら、払出逃避部１５が庇８から上方に突出するアーチ状に構成されているので、上り勾配部１４で勢いを和らげられて庇８の上に乗った球が払出逃避部１５を収容部６の引込側部分に越えにくい。このため、庇８から払出逃避部１５で分けられて収容部６の押出側部分に向かう球の個数が庇８から払出逃避部１５で分けられて収容部６の引込側部分に向かう球の個数よりも多くなる。よって、収容部６の押出側部分の取り込まれにくさを補い、収容部６の押出側部分に球が適切に取り込まれ、収容部６に球詰まりが発生しにくく、払出モータ１０の負担が軽減され、払出体９が球を円滑に払い出すことができるという利点がある。
【００１７】
図３を参照し、球切検出機構１６について説明する。球切検出機構１６のレバー検出器１７に電力が供給され、球からの力が球切検出機構１６の感知レバー１８に作用していない場合、感知レバー１８が錘１９の重さによって軸２０を中心として前側上方に回転してタンク２の後壁から前側に離れ、感知レバー１８の被検出部２１がレバー検出器１７の検出光Ｌから前側に離れる方向に移動する。これによって、レバー検出器１７は球の貯蔵量が球切れ以下に減少した信号としての例えば球切信号を図外の払出発射制御装置に出力する。
【００１８】
タンク２に供給された球から錘１９の重さよりも大きい力が感知レバー１８に上から下向きに作用した場合、感知レバー１８が軸２０を中心として図３に矢印Ｘ３で示すように後側下方に回転する。感知レバー１８が後側下方に回転した場合、感知レバー１８がタンク２の後壁に接触し、被検出部２１がレバー検出器１７の検出光Ｌを遮断する。これによって、タンク２の球の貯蔵量が例えば球切れよりも多い状態であり、レバー検出器１７が球切信号を払出発射制御装置に出力しない。
【００１９】
図４を参照し、球払出装置１を備えた遊技機としてパチンコ遊技機を例示して説明する。パチンコ遊技機は、遊技機枠３１の内部に図外の遊技盤を交換可能に取り付ける形態である。遊技機枠３１は、固定枠３２の前部に可動枠３３を開閉可能に備え、可動枠３３の前部に上扉３４および下扉３５を開閉可能に備える。固定枠３２は、遊技機設置設備に固定される外枠とも呼ばれる。遊技機設置設備は、パチンコ遊技機を設置する遊技店の島と呼ばれる設備である。可動枠３３は、遊技盤や図外の制御装置など遊技に必要な部品を取り付ける前枠とも呼ばれ、左側に位置するヒンジ３６を中心とし、固定枠３２の前で前方に開かれかつ後方に閉じられるように、片開き可能であって、盤設置構造体３７および発射機構３８を備える。盤設置構造体３７は遊技盤を装着するための部材である。発射機構３８は、盤設置構造体３７の下部前面に取り付けられる。
【００２０】
発射機構３８は、下扉３５が閉じられて可動枠３３に開閉不能に支持された場合、下扉３５で覆い隠される。可動枠３３には、球払出装置１、図外の施錠装置なども設けられる。上扉３４は、左側に位置するヒンジ３９を中心とし、可動枠３３の前で前方に開かれかつ後方に閉じられるように、片開き可能である。上扉３４には、窓４０および前面パネル４１が設けられる。窓４０は、前後方向への貫通孔として構成される。前面パネル４１は、窓４０を後から塞ぐ大きさのガラスまたは合成樹脂からなる光透過性の有る無色な板状に構成される。下扉３５には、受皿４２、発射操作機構４３、供給口４４、取入口４５が設けられる。
【００２１】
遊技盤が盤設置構造体３７に装着され、可動枠３３が閉じられて固定枠３２に開閉不能に支持され、上扉３４が閉じられて可動枠３３に開閉不能に支持されると、前面パネル４１と遊技盤の前面との間における図外のガイドレールで囲まれた部分が発射機構３８から発射された球の飛び交う遊技領域になる。ガイドレールは、上扉３４または前面パネル４１または遊技盤に設けられる。遊技領域は、遊技機枠３１の前から窓４０および前面パネル４１を通して視認可能になる。
【００２２】
そして、パチンコ球と呼ばれる球が受皿４２に入れられ、発射操作機構４３が人為的に操作されると、発射機構３８が受皿４２から供給口４４を経由して発射機構３８に取り込まれた球を発射操作機構４３の操作量に応じた発射力で１個ずつ遊技領域の上部に向けて発射する。遊技領域の上部に到達した球が、遊技領域を流下する過程において、遊技領域における図外の入賞部品に入賞すると、払出機構３が遊技者への賞球としての球を払い出す。払出機構３から払い出された球は、球通路４６から取入口４５を経由して受皿４２に払い出される。
【産業上の利用可能性】
【００２３】
図２において、払出機構３がタンク２の左端部に設けられ、タンク２の底面４が球を右から左に向けて流下させるというように、球を球入口５に向けて流下させる斜面を構成してもよい。また、払出体９の螺旋体１３がタンク２から球入口５を経由して収容部６に取り込まれた球を１個ずつ分離しながら前から後の方に誘導するようにしてもよい。筐体１１がタンク２の前外部に固定されてもよい。
【００２４】
図４において、遊技機はパチンコ遊技機に限定されるものではなくスロットマシンでもよい。つまり、遊技盤を図柄表示器に置換し、発射操作機構４３を球取込操作機構に置換し、球発射機構を球取込機構に置換し、遊技開始操作機構および図柄停止操作機構を上扉３４の前部または下扉３５の前部に設ければ、球払出装置１はスロットマシンにも適用できる。
【００２５】
図５は、発明を実施するための異なる形態に係る遊技機の球払出装置１を示す。図５の球払出装置１が図２の球払出装置１と異なる構造は次のとおりである。図５において、タンク２における図２の球切検出機構１６の設けられた部分が、底面４による球の流下方向に行くにしたがって球を後から前に誘導する誘導壁２２として構成される。よって、タンク２の球を貯蔵する球貯蔵室の前後幅が払出機構３の球入口５に向けて絞られ、誘導壁２２が球を球入口５に向けて斜めに誘導するので、タンク２の底面４を流下する球が多量に球入口５に集中することがなく、タンク２の底面４を流下する球の量が球入口５に向けて徐々に減少し、払出モータ１０への負担が軽減され、払出機構３での球詰まりも発生しにくく、払出体９が球を円滑に払い出すことができるという利点がある。図５では、図示は省略したが、図２に示す球切検出機構１６をタンク２に設けてもよい。
【００２６】
図２および図５において、図示は省略したが、タンク２の底部に球抜機構を設けてもよい。この球抜機構は、タンク２から下方に球を抜き取る開口を開閉する機構である。
【図面の簡単な説明】
【００２７】
【図１】庇の周りの斜視図（最良の形態）。
【図２】球払出装置の平面図（最良の形態）。
【図３】図２のＡ−Ａ線断面図（最良の形態）。
【図４】パチンコ遊技機における遊技機枠の斜視図（最良の形態）。
【図５】球払出装置の平面図（異なる形態）。
【図６】ａ図は球払出装置の平面図、ｂ図はａ図のＢ−Ｂ線断面図（従来）。
【符号の説明】
【００２８】
１は球払出装置、２はタンク、３は払出機構、４は底面、５は球入口、６は収容部、７は球出口、８は庇、９は払出体、１０は払出モータ、１１は筐体、１２は払出軸、１３は螺旋体、１４は上り勾配部、１５は払出逃避部、１６は球切検出機構、１７はレバー検出器、１８は感知レバー、１９は錘、２０は軸、２１は被検出部、２２は誘導壁、２３乃至３０は欠番、３１は遊技機枠、３２は固定枠、３３は可動枠、３４は上扉、３５は下扉、３６はヒンジ、３７は盤設置構造体、３８は発射機構、３９はヒンジ、４０は窓、４１は前面パネル、４２は受皿、４３は発射操作機構、４４は供給口、４５は取入口、４６は球通路、Ｌは検出光、Ｌ１は広い前後幅、Ｌ２は中間の前後幅、Ｌ３は狭い前後幅。
【図１】
2008246009.tif 000003
【図２】
2008246009.tif 000004
【図３】
2008246009.tif 000005
【図４】
2008246009.tif 000006
【図５】
2008246009.tif 000007
【図６】
2008246009.tif 000008